(57)【要約】【課題】デジタル放送信号受信機の電源がＯＦＦ状態のときに、所望のセクションデータを低消費電力で取得することができるデジタル放送信号受信機を提供する。【解決手段】デジタル放送信号の受信機能をソフトウエア処理によって実現するアプリケーション層処理部１４と、ハードウエア処理によって実現するファームウエア／ハードウエア層処理部１２と、デジタル放送信号の各パケットをハードウエア処理により分離するデマルチプレックス処理部２３と、ソフトウエア処理により分離するデマルチプレックス処理部３１と、ＯＮ／ＯＦＦ信号に応じた切換制御信号を発生するコントロール部３０と、切換制御信号に基づいて、デジタル放送信号をデマルチプレックス処理部２３又はデマルチプレックス処理部３１に出力するように選択的に切り換えるスイッチ２２とを有する。【選択図】図１
2009100124.tif 000002
【特許請求の範囲】
【請求項１】
デジタル放送信号の受信機能をソフトウエア処理によって実現するアプリケーション層処理部と、
前記デジタル放送信号の受信機能をハードウエア処理によって実現するファームウエア／ハードウエア層処理部と、
前記デジタル放送信号の各パケットをハードウエア処理により分離する第１のデマルチプレックス処理部と、
前記デジタル放送信号の各パケットをソフトウエア処理により分離する第２のデマルチプレックス処理部と、
前記ファームウエア／ハードウエア層処理部に電源供給を行う電源部を制御するためのＯＮ／ＯＦＦ信号に応じた切換制御信号を発生するコントロール部と、
前記切換制御信号に基づいて、前記デジタル放送信号を前記第１のデマルチプレックス処理部又は前記第２のデマルチプレックス処理部に出力するように選択的に切り換える切換部と、
を有することを特徴とするデジタル放送信号受信機。
【請求項２】
前記アプリケーション層処理部に設けられ、前記デジタル放送信号に含まれるセクションデータを解析するセクションデータ処理部を具備し、
前記第１及び第２のデマルチプレックス処理部は、前記セクションデータ処理部の出力に基づいて、前記デジタル放送信号の各パケットを分離することを特徴とする請求項１に記載のデジタル放送信号受信機。
【請求項３】
前記セクションデータ処理部は、前記コントロール部からのＯＮ／ＯＦＦ制御信号のＯＦＦ信号に基づいて、前記第２のデマルチプレックス処理部にセクションデータのみを分離するための設定を行うことを特徴とする請求項１又は請求項２に記載のデジタル放送信号受信機。
【請求項４】
前記デジタル放送信号又は前記セクションデータのみの信号の何れか一方をネットワークを介して配信する配信元からの信号を受信するデジタル放送信号受信機であって、
前記コントロール部は、前記ファームウエア／ハードウエア層処理部に前記電源部からの電源供給がされている場合には、前記デジタル放送信号を配信させるための情報を前記配信元に通知し、前記ファームウエア／ハードウエア層処理部に前記電源部からの電源供給がされていない場合には、前記セクションデータのみの信号を配信させるための情報を前記配信元に通知することを特徴とする請求項２又は請求項３に記載のデジタル放送信号受信機。
【請求項５】
前記デジタル放送信号及び前記セクションデータのみの信号をネットワークを介して同時に配信する配信元からの信号を受信するデジタル放送信号受信機であって、
前記配信元から配信される前記デジタル放送信号及び前記セクションデータのみの信号の何れか一方を選択する配信信号選択部を有し、
前記配信信号選択部は、前記コントロール部からのＯＮ／ＯＦＦ制御信号のＯＮ信号に基づいて、デジタル放送信号を選択し、前記コントロール部からのＯＮ／ＯＦＦ制御信号のＯＦＦ信号に基づいて、セクションデータのみの信号を選択することを特徴とする請求項２又は請求項３に記載のデジタル放送信号受信機。
【発明の詳細な説明】
【技術分野】
【０００１】
本発明は、デジタル放送信号受信機に関し、特に、デジタル放送を視聴していない間に所望のセクションデータを低消費電力で取得することが可能なデジタル放送信号受信機に関する。
【背景技術】
【０００２】
近年、放送のデジタル化が急速に進められ、地上デジタル放送、衛星デジタル放送等のデジタル放送が開始されている。これらのデジタル放送では、伝送方式としてＭＰＥＧ２（Moving Picture Experts Group2）システム規格のトランスポートストリーム（以下、ＴＳという）が用いられている。ＴＳは、複数のプログラムの情報がパケット単位により多重化されたデータであり、ビデオデータ、オーディオデータ及びセクションデータを含んでいる。
【０００３】
デジタル放送信号受信機では、受信した信号を復調して得られたＴＳからビデオデータ、オーディオデータ及びセクションデータを分離して再生するようになっている。
【０００４】
セクションデータには、電子番組ガイド（以下、ＥＰＧという）及び緊急放送を受信するための伝送制御信号（以下、ＴＭＣＣという）などが含まれる。これらのセクションデータは時間とともに変化する。そのため、デジタル放送を視聴しない電源ＯＦＦ状態時であっても受信、更新されることが望ましい。しかし、デジタル放送信号受信機が電源ＯＦＦ状態のときに番組受信時と同じ方法でセクションデータのみを取得すると常にハードウエアへの電源供給が必要となり、電力の消費量が多くなるという問題がある。
【０００５】
そこで、デジタル放送信号受信機が電源ＯＦＦ状態のときにＥＰＧを最新情報に保つことを目的としたデジタル放送信号受信機が提案されている（例えば、特許文献１参照）。この提案のデジタル放送信号受信機は、ＥＰＧの有効期限が切れる時期を計算し、計算結果を元に短時間だけ電源をＯＮにしてセクションデータの取得を行う。しかしながら、この方法ではセクションデータの取得毎にハードウエアへ電源を供給する必要がある。更に、ＥＰＧのように配信される時間が予想できる情報しか取得できず、ＴＭＣＣのように配信時間が不確定な情報の取得は不可能である。
【０００６】
また、デジタル放送信号受信機が電源ＯＦＦ状態のときの緊急放送の受信を目的としたデジタル放送信号受信機が提案されている（例えば、特許文献２参照）。この提案のデジタル放送信号受信機は、ＴＭＣＣ専用の受信機を用いてＴＭＣＣを受信し、緊急放送が行われている場合にはデジタル放送信号受信機へ電源ＯＮとするための信号を送る。しかしながら、この方法ではＴＭＣＣ専用信号受信機が必要となりコストが増大する。また、ＴＭＣＣ専用信号受信機への電源供給が必要となり、電力の消費量を十分に低減することはできないという問題がある。
【特許文献１】特開２００６−１７４１１７号公報
【特許文献２】特開２００５−２９５０５３号公報
【発明の開示】
【発明が解決しようとする課題】
【０００７】
そこで、本発明は、デジタル放送信号受信機の電源がＯＦＦ状態のときに、所望のセクションデータを低消費電力で取得することができるデジタル放送信号受信機を提供することを目的とする。
【課題を解決するための手段】
【０００８】
本発明の一態様によれば、デジタル放送信号の受信機能をソフトウエア処理によって実現するアプリケーション層処理部と、デジタル放送信号の受信機能をハードウエア処理によって実現するファームウエア／ハードウエア層処理部と、デジタル放送信号の各パケットをハードウエア処理により分離する第１のデマルチプレックス処理部と、前記デジタル放送信号の各パケットをソフトウエア処理により分離する第２のデマルチプレックス処理部と、前記ファームウエア／ハードウエア層処理部に電源供給を行う電源部を制御するためのＯＮ／ＯＦＦ信号に応じた切換制御信号を発生するコントロール部と、前記切換制御信号に基づいて、前記デジタル放送信号を前記第１のデマルチプレックス処理部又は前記第２のデマルチプレックス処理部に出力するように選択的に切り換える切換部と、を有することを特徴とするデジタル放送信号受信機を提供することができる。
【発明の効果】
【０００９】
本発明のデジタル放送信号受信機によれば、デジタル放送信号受信機の電源がＯＦＦ状態のときに、所望のセクションデータを低消費電力で取得することができる。
【発明を実施するための最良の形態】
【００１０】
以下、図面を参照して本発明の実施の形態を詳細に説明する。  
（第１の実施の形態）  
図１は、本発明の第１の実施の形態に係るデジタル放送信号受信機の構成を示すブロック図である。
【００１１】
本実施の形態においては、デジタル放送信号受信機１の受信機能のうち主に受信パケットを分離し処理する機能を、ファームウエア／ハードウエア層処理部１２とアプリケーション層処理部１４とで実現する。
【００１２】
ファームウエア／ハードウエア層処理部１２は、主にＩＣ等のハードウエア部品により構成される。一方、アプリケーション層処理部１４は、主にＣＰＵを用いたソフトウエア処理によってその機能を実現するものである。
【００１３】
本実施の形態のデジタル放送信号受信機１は、これらのファームウエア／ハードウエア層処理部１２及びアプリケーション層処理部１４の外に、復調部１１と、スイッチ２２と、メモリ領域１３と、ファームウエア／ハードウエア層処理部１２に電源供給する電源１５とを有して構成されている。
【００１４】
なお、電源１５は、デジタル放送信号受信機１のメイン電源であり、デジタル放送の視聴時にはＯＮであり、待機時にはＯＦＦである。復調部１１、スイッチ２２、メモリ領域１３及びアプリケーション層処理部１４には、メイン電源である電源１５がＯＦＦの場合でも、図示しないサブ電源により電力が供給される。
【００１５】
従来、セクションデータの取得時には、デジタル放送信号受信機１のメイン電源である電源１５をＯＮする必要があり、消費電力が増大していた。本実施の形態では、デジタル放送信号受信機１のメイン電源である電源１５がＯＦＦの場合に、サブ電源のみでセクションデータの取得を行い、低消費電力を実現する。
【００１６】
復調部１１は、復調器２１を含んで構成されている。ファームウエア／ハードウエア層処理部１２は、ファームウエア／ハードウエア層デマルチプレックス処理部２３と、ビデオ復号処理部２４と、モニタ表示処理部２５と、オーディオ復号処理部２６と、オーディオ出力処理部２７とを含んで構成されている。メモリ領域１３は、セクションデータ蓄積部２８を含んで構成されている。アプリケーション層処理部１４は、セクションデータ処理部２９と、コントロール部３０と、アプリケーション層デマルチプレックス処理部３１とを含んで構成されている。
【００１７】
まず、デジタル放送信号受信機１において、図示しないアンテナを介して受信されたデジタル放送の信号は、復調器２１に入力される。復調器２１は、受信した信号をＭＰＥＧ２のＴＳに復調し、復調したＴＳをスイッチ２２に出力する。
【００１８】
スイッチ２２は、後述するコントロール部３０からの切換制御信号に基づいて、入力されたＴＳをファームウエア／ハードウエア層デマルチプレックス処理部２３に出力するか、或いはアプリケーション層デマルチプレックス処理部３１に出力するかを切り換える。デジタル放送信号受信機１の電源１５がＯＮ状態の場合、スイッチ２２は、入力されたＴＳをファームウエア／ハードウエア層デマルチプレックス処理部２３に出力し、デジタル放送信号受信機１の電源１５がＯＦＦ状態の場合、スイッチ２２は、入力されたＴＳをアプリケーション層デマルチプレックス処理部３１に出力する。
【００１９】
ファームウエア／ハードウエア層デマルチプレックス処理部２３は、後述するセクションデータ処理部２９からのパケット識別子（以下、ＰＩＤという）に基づいて、視聴対象のプログラムを構成するビデオデータ及びオーディオデータとセクションデータとを抽出する。ファームウエア／ハードウエア層デマルチプレックス処理部２３は、抽出したビデオデータ、オーディオデータ及びセクションデータをそれぞれビデオ復号処理部２４、オーディオ復号処理部２６及びセクションデータ蓄積部２８に出力する。
【００２０】
アプリケーション層デマルチプレックス処理部３１は、デジタル放送信号受信機１の電源１５がＯＮの場合、機能を停止する。アプリケーション層デマルチプレックス処理部３１は、デジタル放送信号受信機１の電源１５がＯＦＦになると、スイッチ２２を介して入力されるＴＳから所望のセクションデータ、例えば、ＥＰＧ及びＴＭＣＣ等を抽出して、セクションデータ蓄積部２８に出力する。
【００２１】
ビデオ復号処理部２４は、入力されたビデオデータを復号し、復号したビデオデータをモニタ表示処理部２５に出力する。モニタ表示処理部２５は、入力されたビデオデータに所定の表示処理を施して図示しないモニタ表示部に映像信号を出力する。モニタ表示部において視聴対象のプログラムに基づく映像が表示される。
【００２２】
オーディオ復号処理部２６は、入力されたオーディオデータを復号し、復号したオーディオデータをオーディオ出力処理部２７に出力する。オーディオ出力処理部２７は、入力されたオーディオデータに所定の音声信号処理を施して図示しないオーディオ出力部に音声信号を出力する。オーディオ出力部から視聴対象プログラムに基づく音声が出力される。
【００２３】
電源１５は、後述する制御信号に基づいて、ファームウエア／ハードウエア層処理部１２のファームウエア／ハードウエア層デマルチプレックス処理部２３、ビデオ復号処理部２４、モニタ表示処理部２５、オーディオ復号処理部２６及びオーディオ出力処理部２７に電源を供給する。
【００２４】
メモリ領域１３のセクションデータ蓄積部２８は、ファームウエア／ハードウエア層デマルチプレックス処理部２３及びアプリケーション層デマルチプレックス処理部３１から出力されるセクションデータを蓄積する。セクションデータ蓄積部２８にセクションデータが蓄積されると、アプリケーション層処理部１４のセクションデータ処理部２９は、セクションデータの解析を行う。
【００２５】
ＴＳパケットには夫々各パケットに一義的に設定されたＰＩＤが付与されている。視聴対象プログラム（番組）のＰＩＤが分かれば、その番組を分離できる。
【００２６】
各番組に含まれる映像パケット、音声パケットのＰＩＤについては、ＰＭＴ(Program Map Table)に格納されている。従って、ＰＭＴからＰＩＤを取得することで、番組を分離できる。
【００２７】
ＴＳに含まれる各番組の一覧は、ＰＡＴ(Program Association Table）に記述されている。ＰＡＴのＰＩＤは必ず０である。ＰＡＴには、番組一覧がＰＭＴのＰＩＤによって格納されている。
【００２８】
つまり、ＰＩＤが０のＰＡＴを取得し、ＰＡＴから希望する番組の各パケットのＰＩＤを記述したＰＭＴ（のＰＩＤ）を得る。そして、そのＰＩＤのパケット（ＰＭＴ）を取得して、番組内の各パケットのＰＩＤを得る。最終的には、このＰＩＤをファームウエア／ハードウエア層デマルチプレックス処理部２３に設定することで、番組内の各パケットを分離する。
【００２９】
セクションデータ処理部２９は、デジタル放送信号受信機１の電源１５がＯＮの場合、後述するＯＮ／ＯＦＦ制御信号に基づいて、取得したＰＭＴのＰＩＤをファームウエア／ハードウエア層デマルチプレックス処理部２３に設定する。ＰＭＴのＰＩＤが設定されると、上述したように、ファームウエア／ハードウエア層デマルチプレックス処理部２３において、複数のプログラムが多重化されているＴＳから視聴対象のプログラムを構成するビデオデータ及びオーディオデータが抽出されることになる。
【００３０】
また、セクションデータ処理部２９は、デジタル放送信号受信機１の電源１５がＯＦＦの場合、後述するＯＮ／ＯＦＦ制御信号に基づいて、所望のセクションデータのみのＰＩＤをアプリケーション層デマルチプレックス処理部３１に設定する。
【００３１】
コントロール部３０には、デジタル放送信号受信機１の電源１５をＯＮかＯＦＦかにするためのＯＮ／ＯＦＦ信号が入力される。コントロール部３０は、このＯＮ／ＯＦＦ信号に基づいて、上述した切換制御信号をスイッチ２２に出力する。また、コントロール部３０は、このＯＮ／ＯＦＦ信号に基づいて、上述したＯＮ／ＯＦＦ制御信号をセクションデータ処理部２９に出力する。更に、コントロール部３０は、ＯＮ／ＯＦＦ信号に基づいて、電源１５に制御信号を出力する。
【００３２】
次に、このように構成された実施の形態の動作について説明する。  
図２は、デジタル放送信号受信機１の電源１５がＯＮからＯＦＦに切り換わる場合の処理の流れの例を示すフローチャートである。
【００３３】
デジタル放送信号受信機１の電源１５がＯＮの場合、デジタル放送信号は、復調器２１によりＭＰＥＧ２のＴＳに復調され、復調されたＴＳは、スイッチ２２を介してファームウエア／ハードウエア層デマルチプレックス処理部２３に出力される。ファームウエア／ハードウエア層デマルチプレックス処理部２３において、このＴＳからビデオデータ、オーディオデータ及びセクションデータが抽出される。
【００３４】
セクションデータは、セクションデータ蓄積部２８に出力された後、セクションデータ処理部２９により解析され、所望のプログラムが構成されるＰＭＴのＰＩＤが取得される。このＰＩＤがファームウエア／ハードウエア層デマルチプレックス処理部２３に設定されることにより、視聴対象のプログラムを構成するビデオデータ及びオーディオデータが抽出される。
【００３５】
このビデオデータは、ビデオ復号処理部２４により復号処理された後、モニタ表示処理部２５により所定の表示処理が施され映像信号として出力される。一方、オーディオデータは、オーディオ復号処理部２６により復号処理された後、オーディオ出力処理部２７により所定の音声信号処理が施され音声信号として出力される。このとき、ファームウエア／ハードウエア層処理部１２には、電源１５から電源が供給されている。
【００３６】
ここで、視聴者によりデジタル放送信号受信機１の電源１５がＯＦＦにされると、図２の処理が実行される。最初に、セクションデータ処理部２９は、アプリケーション層デマルチプレックス処理部３１に取得するセクションデータのみのＰＩＤを設定する（ステップＳ１）。次に、デマルチプレックス処理をファームウエア／ハードウエア層デマルチプレックス処理部２３からアプリケーション層デマルチプレックス処理部３１に切り換える（ステップＳ２）。このステップＳ２の処理は、コントロール部３０及びスイッチ２２によって実行される。コントロール部３０から出力される切換制御信号に基づいて、スイッチ２２が、ファームウエア／ハードウエア層デマルチプレックス処理部２３からアプリケーション層デマルチプレックス処理部３１に切り換える。最後に、ファームウエア／ハードウエア層処理部１２の電源１５をＯＦＦにする（ステップＳ３）。このステップＳ３の処理は、コントロール部３０及び電源１５によって実行される。コントロール部３０から出力される制御信号に基づいて、電源１５がＯＦＦとなり、ファームウエア／ハードウエア層処理部１２の電源の供給が停止する。
【００３７】
アプリケーション層デマルチプレックス処理部３１において抽出されたセクションデータは、セクションデータ蓄積部２８に蓄積される。蓄積されたセクションデータは、電源１５がＯＮ状態時同様、セクションデータ処理部２９で解析される。最新のＥＰＧがセクションデータ蓄積部２８に蓄積されると、セクションデータ処理部２９は、ＥＰＧを最新のＥＰＧに変更する。また、ＴＭＣＣがセクションデータ蓄積部２８に蓄積されると、セクションデータ処理部２９は、デジタル放送信号受信機１の電源１５をＯＮするための制御信号を出力する。
【００３８】
以上のように、視聴者によりデジタル放送信号受信機１の電源１５がＯＦＦにされると、ファームウエア／ハードウエア層処理部１２の電源１５がＯＦＦになる。そして、セクションデータの抽出は、アプリケーション層処理部１４で行われることになり、消費電力が低減されることになる。
【００３９】
図３は、デジタル放送信号受信機１の電源１５がＯＦＦからＯＮに切り換わる場合の処理の流れの例を示すフローチャートである。
【００４０】
視聴者によりデジタル放送信号受信機１の電源１５がＯＮにされると、図３の処理が実行される。最初に、ファームウエア／ハードウエア層処理部１２の電源１５をＯＮにする（ステップＳ１１）。このステップＳ１１の処理は、コントロール部３０及び電源１５によって実行される。コントロール部３０から出力される制御信号に基づいて、電源１５がＯＮとなり、ファームウエア／ハードウエア層処理部１２の電源の供給が開始される。次に、セクションデータ処理部２９は、ファームウエア／ハードウエア層デマルチプレックス処理部２３に所望のビデオデータ及びオーディオデータ等のＰＩＤを設定する（ステップＳ１２）。最後に、デマルチプレックス処理をアプリケーション層デマルチプレックス処理部３１からファームウエア／ハードウエア層デマルチプレックス処理部２３に切り換える（ステップＳ１３）。このステップＳ１３の処理は、コントロール部３０及びスイッチ２２によって実行される。コントロール部３０から出力される切換制御信号に基づいて、スイッチ２２が、アプリケーション層デマルチプレックス処理部３１からファームウエア／ハードウエア層デマルチプレックス処理部２３に切り換える。
【００４１】
以上の処理の結果、視聴者がデジタル放送信号受信機１の電源１５をＯＦＦにした場合、デマルチプレックス処理をアプリケーション層処理部１４で行い、ファームウエア／ハードウエア層処理部１２の電源１５をＯＦＦとすることで低消費電力化を実現することができる。また、アプリケーション層デマルチプレックス処理部３１に所望のＰＩＤを通知することにより、ＥＰＧ又はＴＭＣＣと限定するのではなく、所望のセクションデータを取りこぼすことなく取得することができる。
【００４２】
よって、本実施の形態のデジタル放送信号受信機によれば、デジタル放送信号受信機の電源がＯＦＦ状態のときに、所望のセクションデータを低消費電力で取得することができる。
【００４３】
（第２の実施の形態）
次に、第２の実施の形態について説明する。第２の実施の形態のデジタル放送信号受信機は、ネットワーク経由でデジタル放送を配信する配信元と接続されている。また、第２の実施の形態のデジタル放送信号受信機は、自己の電源のＯＮ／ＯＦＦ状態を配信元に通知することができる。即ち、デジタル放送信号受信機と配信元とは、双方向通信が可能な構成になっている。
【００４４】
図４は、第２の実施の形態に係るデジタル放送信号受信機の構成を示すブロック図である。図４において図１と同一の構成要素には同一符号を付して説明を省略する。
【００４５】
コントロール部３０ａは、ＯＮ／ＯＦＦ信号に基づいて、デジタル放送信号受信機１ａの電源１５がＯＮか、或いはＯＦＦかを示す配信制御信号を配信元４１に出力する。
【００４６】
配信元４１は、コントロール部３０ａからの配信制御信号に基づいて、所定の配信信号をスイッチ２２に出力する。配信元４１は、デジタル放送信号受信機１ａの電源１５がＯＮを示す配信制御信号が入力されると、ビデオデータ、オーディオデータ及びセクションデータ等を含む通常のデジタル放送の配信を行う。一方、配信元４１は、デジタル放送信号受信機１ａの電源１５がＯＦＦを示す配信制御信号が入力されると、デジタル放送信号受信機１ａの電源１５がＯＦＦ時に不必要なビデオデータ及びオーディオデータ等の配信を停止し、セクションデータのみ配信を行う。その他の構成は、第１の実施の形態と同様である。
【００４７】
次に、このように構成された実施の形態の動作について説明する。  
図５は、デジタル放送信号受信機１ａの電源１５がＯＮからＯＦＦに切り換わる場合の処理の流れの例を示すフローチャートである。
【００４８】
ステップＳ１からステップＳ３は、上述した第１の実施の形態と同様のため、説明を省略する。ステップＳ２の後、コントロール部３０ａは、ネットワーク上の配信元４１に対し、デジタル放送信号受信機１ａの電源１５がＯＦＦであることを通知する（ステップＳ４）。
【００４９】
デジタル放送の配信元４１は、コントロール部３０ａからデジタル放送信号受信機１ａの電源１５がＯＦＦであるという通知を受けると、デジタル放送信号受信機１ａの電源１５がＯＦＦ時に不必要なビデオデータ及びオーディオデータ等の配信を停止し、セクションデータのみ配信を行う。この結果、アプリケーション層デマルチプレックス処理部３１では、デジタル放送信号受信機１ａの電源１５がＯＦＦ時に不必要なビデオデータ及びオーディオデータ等の処理が不要となり、動作周波数を低く抑えることが可能となる。
【００５０】
図６は、デジタル放送信号受信機１ａの電源１５がＯＦＦからＯＮに切り換わる場合の処理の流れの例を示すフローチャートである。
【００５１】
ステップＳ１１からステップＳ１３は、上述した第１の実施の形態と同様のため、説明を省略する。ステップＳ１２の後、コントロール部３０ａは、ネットワーク上の配信元４１に対し、デジタル放送信号受信機１ａの電源１５がＯＮであることを通知する（ステップＳ１４）。
【００５２】
デジタル放送の配信元４１は、コントロール部３０ａからデジタル放送信号受信機１ａの電源１５がＯＮであるという通知を受けると、ビデオデータ及びオーディオデータ等を含む通常のデジタル放送の配信を開始する。ＯＮ状態の通知とともにコントロール部３０ａは、デマルチプレックス処理をアプリケーション層デマルチプレックス処理部３１からファームウエア／ハードウエア層デマルチプレックス処理部２３に切り換え、従来の視聴状態となる。
【００５３】
以上の処理の結果、デジタル放送の配信元４１からの配信がセクションデータのみとなることで、アプリケーション層デマルチプレックス処理部３１における処理量が軽減する。処理量の軽減に伴い動作周波数を低く抑えることが可能となり、低消費電力化が実現する。
【００５４】
よって、本実施の形態のデジタル放送信号受信機によれば、第１の実施の形態のデジタル放送信号受信機より低消費電力で所望のセクションデータを取得することができる。
【００５５】
（第３の実施の形態）
次に、第３の実施の形態について説明する。第３の形態のデジタル放送信号受信機は、自己の電源のＯＮ／ＯＦＦ状態を配信元に通知することができない場合に、後述する配信信号選択部により所定の信号が選択される構成になっている。
【００５６】
図７は、第３の実施の形態に係るデジタル放送信号受信機の構成を示すブロック図である。図７において図４と同一の構成要素には同一符号を付して説明を省略する。
【００５７】
本実施の形態のデジタル放送信号受信機１ｂは、図４のデジタル放送信号受信機１ａに対し、配信信号選択部４２が追加された構成になっている。
【００５８】
コントロール部３０ｂは、ＯＮ／ＯＦＦ信号に基づいて、デジタル放送信号受信機１ｂの電源１５がＯＮか、或いはＯＦＦかを示す配信制御信号を配信信号選択部４２に出力する。
【００５９】
配信信号選択部４２は、コントロール部３０ｂからの配信制御信号に基づいて、所定の
信号を選択しスイッチ２２に出力する。配信信号選択部４２は、デジタル放送信号受信機１ｂの電源１５がＯＮを示す配信制御信号が入力されると、ビデオデータ、オーディオデータ及びセクションデータ等を含む通常のデジタル放送の信号を選択し、選択した信号をスイッチ２２に出力する。一方、配信信号選択部４２は、デジタル放送信号受信機１ｂの電源１５がＯＦＦを示す配信制御信号が入力されると、セクションデータのみの信号を選択し、選択した信号をスイッチ２２に出力する。その他の構成は、第２の実施の形態と同様である。
【００６０】
次に、このように構成された実施の形態の動作について説明する。  
図８は、デジタル放送信号受信機１ｂの電源１５がＯＮからＯＦＦに切り換わる場合の処理の流れの例を示すフローチャートである。
【００６１】
ステップＳ１からステップＳ３は、上述した第１の実施の形態と同様のため、説明を省略する最初に、配信信号選択部４２は、デジタル放送信号受信機１ｂの電源１５がＯＦＦ時の受信に必要な情報を選択する（ステップＳ５）。即ち、配信信号選択部４２は、デジタル放送信号受信機１ｂの電源１５がＯＦＦになると、セクションデータのみの信号を選択し、スイッチ２２に出力する。このステップＳ５の処理は、コントロール部３０ｂからの配信制御信号に基づいて行われる。
【００６２】
デジタル放送信号受信機１ｂの電源１５がＯＦＦになると、配信信号選択部４２において、デジタル放送信号受信機１ｂの電源１５がＯＦＦ時の受信に必要なセクションデータのみの信号が選択される。この結果、アプリケーション層デマルチプレックス処理部３１では、デジタル放送信号受信機１ｂの電源１５がＯＦＦ時に不必要なビデオデータ及びオーディオデータ等の処理が不要となり、動作周波数を低く抑えることが可能となる。
【００６３】
図９は、デジタル放送信号受信機１ｂの電源１５がＯＦＦからＯＮに切り換わる場合の処理の流れの例を示すフローチャートである。
【００６４】
ステップＳ１１からステップＳ１３は、上述した第１の実施の形態と同様のため、説明を省略する。ステップＳ１２の後、配信信号選択部４２は、デジタル放送信号受信機１ｂの電源１５がＯＮ時の受信に必要な情報を選択する（ステップＳ１５）。即ち、配信信号選択部４２は、デジタル放送信号受信機１ｂの電源１５がＯＮになると、ビデオデータ、オーディオデータ及びセクションデータ等を含む通常のデジタル放送の信号を選択し、スイッチ２２に出力する。このステップＳ１５の処理は、コントロール部３０ｂからの配信制御信号に基づいて行われる。
【００６５】
以上の処理の結果、デジタル放送信号受信機１ｂの電源１５がＯＦＦになると、セクションデータのみの信号が選択されることで、アプリケーション層デマルチプレックス処理部３１における処理量が軽減する。処理量の軽減に伴い動作周波数を低く抑えることが可能となり、低消費電力化が実現する。
【００６６】
よって、本実施の形態のデジタル放送信号受信機によれば、第１の実施の形態のデジタル放送信号受信機より低消費電力で所望のセクションデータを取得することができる。
【００６７】
なお、本明細書における各フローチャート中の各ステップは、その性質に反しない限り、実行順序を変更し、複数同時に実行し、あるいは実行毎に異なった順序で実行してもよい。
【００６８】
本発明は、上述した実施の形態に限定されるものではなく、本発明の要旨を変えない範囲において、種々の変更、改変等が可能である。
【図面の簡単な説明】
【００６９】
【図１】第１の実施の形態に係るデジタル放送信号受信機の構成を示すブロック図である。
【図２】デジタル放送信号受信機１の電源がＯＮからＯＦＦに切り換わる場合の処理の流れの例を示すフローチャートである。
【図３】デジタル放送信号受信機１の電源がＯＦＦからＯＮに切り換わる場合の処理の流れの例を示すフローチャートである。
【図４】第２の実施の形態に係るデジタル放送信号受信機の構成を示すブロック図である。
【図５】デジタル放送信号受信機１ａの電源がＯＮからＯＦＦに切り換わる場合の処理の流れの例を示すフローチャートである。
【図６】デジタル放送信号受信機１ａの電源がＯＦＦからＯＮに切り換わる場合の処理の流れの例を示すフローチャートである。
【図７】第３の実施の形態に係るデジタル放送信号受信機の構成を示すブロック図である。
【図８】デジタル放送信号受信機１ｂの電源がＯＮからＯＦＦに切り換わる場合の処理の流れの例を示すフローチャートである。
【図９】デジタル放送信号受信機１ｂの電源がＯＦＦからＯＮに切り換わる場合の処理の流れの例を示すフローチャートである。
【符号の説明】
【００７０】
１，１ａ，１ｂ…デジタル放送信号受信機、１１…復調部、１２…ファームウエア／ハードウエア層、１３…メモリ領域、１４…アプリケーション層、１５…電源、２１…復調器、２２…スイッチ、２３…ファームウエア／ハードウエア層デマルチプレックス処理部、２４…ビデオ復号処理部、２５…モニタ表示処理部、２６…オーディオ復号処理部、２７…オーディオ出力処理部、２８…セクションデータ蓄積部、２９…セクションデータ処理部、３０，３０ａ，３０ｂ…コントロール部、３１…アプリケーション層デマルチプレックス処理部、４１…配信元、４２…配信信号選択部。
【図１】
2009100124.tif 000003
【図２】
2009100124.tif 000004
【図３】
2009100124.tif 000005
【図４】
2009100124.tif 000006
【図５】
2009100124.tif 000007
【図６】
2009100124.tif 000008
【図７】
2009100124.tif 000009
【図８】
2009100124.tif 000010
【図９】
2009100124.tif 000011